(57)【要約】【課題】１つの部品からなり、容易に樹脂成形することが可能であり、光ファイバを所定の位置まで容易に挿入することができ、製造コストを抑えることができる光ファイバ保持部材を提供すること。【解決手段】切り欠き部１２の底面１２ａには、Ｖ溝１３ａ、１３ｂが所定のピッチで並行に設けられる。凹み部１４の底面１４ａには、Ｖ溝１６ａ、１６ｂが、Ｖ溝１３ａ、１３ｂと逆向きに、Ｖ溝１３ａ、１３ｂと同一のピッチで並行に設けられる。切り欠き部１２と凹み部１４とは、Ｖ溝１３ａ、１３ｂおよびＶ溝１６ａ、１６ｂによって連通する。Ｖ溝１６ａ、１６ｂは、Ｖ溝１３ａ、１３ｂに載置した光ファイバ３０の軸心と、Ｖ溝１６ａ、１６ｂに接触した光ファイバ３０の軸心が同一軸上になるように形成される。【選択図】図１
2012047943.tif 000002
【特許請求の範囲】
【請求項１】
上面から一側面にかけて形成された切り欠き部と、
前記切り欠き部の底面に形成された、複数の第１のＶ溝からなる第１のＶ溝群と、
底面に形成された凹み部と
前記凹み部の底面に形成され、前記第１のＶ溝と逆向きの複数の第２のＶ溝からなる第２のＶ溝群と、を有し、
前記切り欠き部と前記凹み部は、前記第１のＶ溝群と前記第２のＶ溝群とにより連通する、
ことを特徴とする光ファイバ保持部材。
【請求項２】
請求項１記載の光ファイバ保持部材の前記第１のＶ溝群および前記第２のＶ溝群に光ファイバを整列させ、接着剤により前記光ファイバ保持部材に前記光ファイバを固定したことを特徴とする光ファイバコネクタ。
【発明の詳細な説明】
【技術分野】
【０００１】
本発明は、複数の光ファイバを所定の間隔で整列保持するための光ファイバ保持部材に関する。
【背景技術】
【０００２】
光通信などに使われる光ファイバを、光導波路、レーザダイオード（ＬＤ）、フォトダイオード（ＰＤ）などに接続したり、複数本の光ファイバ同士を光学的に接続したりするために、光ファイバコネクタを使用することがある。光ファイバコネクタは、光ファイバと光ファイバ保持部材とから構成される。
【０００３】
従来の光ファイバ保持部材は、複数本の光ファイバを、Ｖ溝が所定のピッチで設けられた下部プレートと、上部プレートとの間に挟んで保持する構造を有する（特許文献１参照）。
【０００４】
具体的には、従来の光ファイバ保持部材は、被覆された光ファイバの被覆を除去して露出させた裸ファイバを下部プレートのＶ溝に配列させ、上から上部プレートによって押さえ、この状態で、下部プレートと上部プレートとの間の隙間に接着剤などを充填する。これにより、光ファイバ、下部プレートおよび上部プレートが互いに固定され、光ファイバコネクタが完成する。
【０００５】
また、他の従来技術として、光ファイバを挿入するための穴を有する光ファイバ保持部材を樹脂成形により生成する技術が知られている（特許文献２参照）。
【先行技術文献】
【特許文献】
【０００６】
【特許文献１】特開平１０−２１３７２１号公報
【特許文献２】米国特許公報第６６０４８６６号公報
【発明の概要】
【発明が解決しようとする課題】
【０００７】
しかしながら、特許文献１に記載の従来技術は、光ファイバ保持部材が下部プレートと上部プレートの２つの部品からなり、部品点数が多いという課題を有する。
【０００８】
また、特許文献２に記載の従来技術は、光ファイバを挿入する穴の先端部分に樹脂が付着し、光ファイバを穴の先端まで挿入できない場合が生じるという課題や、光ファイバを挿入する穴を形成するためのファイバピン（φ0.125mm）が樹脂成形の段階で折れやすく製造コストがかかるという課題がある。
【０００９】
本発明は、かかる点に鑑みてなされたものであり、１つの部品からなり、容易に樹脂成形することが可能であり、光ファイバを所定の位置まで容易に挿入することができ、製造コストを抑えることができる光ファイバ保持部材を提供することを目的とする。
【課題を解決するための手段】
【００１０】
本発明の光ファイバ保持部材は、上面から一側面にかけて形成された切り欠き部と、前記切り欠き部の底面に形成された複数の第１のＶ溝からなる第１のＶ溝群と、底面に形成された凹み部と前記凹み部の底面に形成され、前記第１のＶ溝と逆向きの複数の第２のＶ溝からなる第２のＶ溝群と、を有し、前記切り欠き部と前記凹み部は、前記第１のＶ溝群と前記第２のＶ溝群とにより連通する、構成を採る。
【００１１】
本発明の光ファイバコネクタは、上記光ファイバ保持部材の前記第１のＶ溝群および前記第２のＶ溝群に光ファイバを整列させ、接着剤により前記光ファイバ保持部材に前記光ファイバを固定した構成を採る。
【発明の効果】
【００１２】
本発明によれば、１つの部品からなり、容易に樹脂成形することが可能であり、光ファイバを所定の位置まで容易に挿入することができ、製造コストを抑えることができる光ファイバ保持部材を提供することができる。
【図面の簡単な説明】
【００１３】
【図１】本発明の一実施の形態に係る光ファイバ保持部材の平面図、（ａ）上面図、（ｂ）左側面図、（ｃ）正面断面図、（ｄ）右側面図、（ｅ）底面図
【発明を実施するための形態】
【００１４】
以下、本発明の実施の形態について、図面を参照して詳細に説明する。
【００１５】
〔光ファイバ保持部材の構成〕
図１は、本発明の一実施の形態に係る光ファイバ保持部材の平面図である。図１（ａ）、（ｂ）、（ｃ）、（ｄ）、（ｅ）は、それぞれ、光ファイバ保持部材の上面図、左側面図、正面断面図、右側面図、底面図である。なお、図１（ｃ）において、光ファイバ保持部材に挿入される光ファイバを仮想線で示す。
【００１６】
図１に示すように、光ファイバ保持部材は、ほぼその外形がほぼ直方体であり、例えば、ＰＥＩ（ポリエーテルイミド）、ＰＭＭＡ（ポリメタクリル酸メチル），ＰＣ（ポリカーボネート），ＥＰ（エポキシ樹脂）等の光透過性を有する樹脂材料により形成される。
【００１７】
光ファイバ保持部材の外周面１１ａから外周面１１ｂにかけて切り欠き部１２が形成される。切り欠き部１２の底面１２ａは外周面１１ａ、１１ｃと平行であり、側面１２ｂは外周面１１ｂ、１１ｄと平行であり、側面１２ｃ、１２ｄは外周面１１ｅ、１１ｆと平行である。なお、側面１２ｂ、１２ｃ、１２ｄは、それぞれ抜きテーパ相当の角度（例えば、１°〜２°）を有していても良い。
【００１８】
切り欠き部１２の底面１２ａには、光ファイバ３０を載置するためのＶ溝１３ａ、１３ｂが所定のピッチで平行に設けられる。
【００１９】
また、光ファイバ保持部材の外周面１１ｃには、凹み部１４が形成される。凹み部１４の底面１４ａは外周面１１ａ、１１ｃと平行であり、側面１４ｂ、１４ｃは外周面１１ｂ、１１ｄと平行であり、側面１４ｄ、１４ｅは外周面１１ｅ、１１ｆと平行である。凹み部１４の底面１４ａは、切り欠き部１２の底面１２ａとほぼ同一平面上に形成される。凹み部１４の側面１４ｃ、１４ｄ、１４ｅは、それぞれ、切り欠き部１２の側面１２ｂ、１２ｃ、１２ｄとほぼ同一平面上に形成される。なお、側面１４ｂ、１４ｃ、１４ｄ、１４ｅは、それぞれ抜きテーパ相当の角度（例えば、１°〜２°）を有していても良い。
【００２０】
凹み部１４の底面１４ａの外周面１１ｄに近い側には、逃げ溝１５が形成される。逃げ溝１５は、光ファイバ保持部材に光ファイバ３０を固定する際に使用される接着剤のたまり場として用いられる。
【００２１】
凹み部１４の底面１４ａには、光ファイバ３０を押さえるためのＶ溝１６ａ、１６ｂが、Ｖ溝１３ａ、１３ｂと逆向きに、Ｖ溝１３ａ、１３ｂと同一のピッチで平行に設けられる。切り欠き部１２と凹み部１４とは、Ｖ溝１３ａ、１３ｂおよびＶ溝１６ａ、１６ｂによって連通する。Ｖ溝１６ａ、１６ｂは、Ｖ溝１３ａ、１３ｂに載置した光ファイバ３０の軸心と、Ｖ溝１６ａ、１６ｂに接触した光ファイバ３０の軸心が同一軸上になるように形成される。これにより、光ファイバ３０をＶ溝１３ａ、１３ｂに載置し、さらに、Ｖ溝１３ａ、１３ｂから凹み部１４内部へ光ファイバ３０を挿入する際、光ファイバ３０が撓んで不必要な応力が発生することがない。
【００２２】
また、光ファイバ保持部材の外周面１１ｃには、レンズ１７ａ、１７ｂ（凸レンズ）が形成される。レンズ１７ａ、１７ｂのピッチは、Ｖ溝１３ａ、１３ｂあるいはＶ溝１６ａ、１６ｂのピッチと同一である。また、レンズ１７ａ、１７ｂの中心（焦点）は、光ファイバ保持部材に固定された光ファイバ３０の軸心上になる。
【００２３】
〔光ファイバコネクタの組み付け工程〕
次に、光ファイバコネクタの組み付け工程について説明する。
【００２４】
まず、被覆を除去して露出させた光ファイバ３０を、Ｖ溝１３ａ、１３ｂのそれぞれに載置する。
【００２５】
次に、光ファイバ３０を、Ｖ溝１６ａ、１６ｂに沿って凹み部１４内の所定の位置まで挿入する。
【００２６】
次に、接着剤により、光ファイバ保持部材に光ファイバ３０を固定する。これにより、光ファイバコネクタが完成する。
【００２７】
〔本実施の形態の効果〕
以上のように、本実施の形態によれば、１つの部品からなり、容易に樹脂成形することが可能であり、光ファイバを所定の位置まで容易に挿入することができ、製造コストを抑えることができる光ファイバ保持部材を提供することができる。
【００２８】
また、本発明の光ファイバ保持部材は、特許文献２の、光ファイバを挿入する穴の先端部分に樹脂が付着し、光ファイバを穴の先端まで挿入できないという課題や、光ファイバを挿入する穴を形成するためのファイバーピンが樹脂成形の段階で折れてしまうという課題を解決することができる。
【００２９】
なお、本実施の形態では、光ファイバ保持部材に固定される光ファイバ３０が２本の場合について説明したが、本発明はこれに限られず、光ファイバ保持部材に固定される光ファイバ３０の本数に制限はない。
【産業上の利用可能性】
【００３０】
本発明に係る光ファイバ保持部材は、マルチチャンネルの光通信に使用することができる。
【符号の説明】
【００３１】
１  光ファイバ保持部材
１１ａ、１１ｂ、１１ｃ、１１ｄ、１１ｅ、１１ｆ  外周面
１２  切り欠き部
１２ａ  底面
１３ａ、１３ｂ  Ｖ溝
１４  凹み部
１４ａ  底面
１５  逃げ溝
１６ａ、１６ｂ  Ｖ溝
１７ａ、１７ｂ  レンズ
３０  光ファイバ
【図１】
2012047943.tif 000003